(57)【要約】【課題】激しい動きが伴う中でも、緊急時の状況撮影が簡単かつ正確にできて大きな記録効果を挙げうるカメラホルダー。【解決手段】カメラを常時ホルダー内に被写体の方向に向けて具備し、ホルダーの先端を被写体に向けたまま簡単な操作で当該被写体の速写、連写が可能となる。【選択図】図１
2004177907.tif 000002
【特許請求の範囲】
【請求項１】
収納部をもつ筒状のホルダーにカメラを格納し、当該ホルダーの一部に設けられたグリップ部にシャッターと連動するスイッチを有する、カメラホルダー。
【請求項２】
ホルダーの先端部を任意の被写体に向けることによって、レンズが当該被写体を自動的にとらえる角度にカメラをセットした、カメラホルダー。
【請求項３】
被写体を正確にとらえるために、当該ホルダーの一部にファインダー若しくはそれに代わる枠窓を備えた、カメラホルダー。
【請求項４】
使用目的に応じた用具類、例えば懐中電灯、警報器、警棒などを、ホルダーのグリップ部と相対する先端部に着脱が可能な構造をもつ、カメラホルダー。
【発明の詳細な説明】
【０００１】
【発明の属する技術分野】
この発明は、撮影者が動きを伴わせながら、または緊急時に簡単な操作で被写体を迅速かつ正確に撮影するための、カメラのホルダーに関するものである。
【０００２】
【従来の技術】
従来より、犯罪や災害、事故などの現場の記録に際して、例えば追跡などの激しい動きが伴う場合に、撮影者はその動きを一旦止めてカメラがブレないように手で保持・固定し、次にファインダーを覗いて被写体を捉らえ、然るのちシャッターを切るなど、通常のカメラ操作に従って撮影しなければならなかった。
【０００３】
【発明が解決しようとする課題】
犯罪や災害、事故などの不測の事態が発生して追跡、揉み合い、或いは格闘などの激しい動きが伴う中にあっても、その現場の状況を記録に残すことは大切であるが、多くの場合通常のカメラ操作でそれらを撮影することは不可能であった。何故なら、上記の状況下において現場を撮影するには一旦動きを止めてカメラを手に保持・固定し、ファインダーを覗いて被写体を捉え、その上でシャッターを切るなどをしなければならないからである。
本発明は、これらの欠点を解消するために、例えば追跡などの動きを止めることなく撮影者がホルダーの先端を逃亡者に向けたまま、内蔵されているシャッターをグリップに設けられたスイッチを押すことによってカメラを作動させることができ、容易に状況記録の撮影が可能となるよう発明されたものである。
【０００４】
【課題を解決するための手段】
本発明は、図１に示すように金属や対衝撃性に優れた合成樹脂などの素材で成型された筒状または棒状のホルダー内に、ホルダーの一部に設けられたグリップ部と相対する先端部の方向にレンズ部を露出させてセットしたカメラを格納し、撮影者がホルダーの先端部を被写体に向けたままグリップ部に設けられたスイッチを押すだけで、自動的にシャッターが切れて正確に被写体を撮影することができるカメラホルダーを提供するものである。
【０００５】
この場合ホルダーの収納部内に格納されているカメラは、図１に示すようにレンズ部分とカメラ本体の一部をあらかじめホルダーの外に露出させて固定する方法とは別に、図２に示すように、常時はカメラ本体をレンズと共にホルダーの収納部内に格納させて、撮影時に図３の如くレンズを含めたカメラ本体の一部を露出、或いは図４の如く、レンズ部分のみを突出させるなどの方法もある。
【０００６】
また図５に示すようにカメラの上部面にレンズを設け、撮影時にホルダーに具備されたミラー（１２）を４５度起立させて被写体をミラーに反射させ撮影してもよい。ミラーはスイッチをスライドさせると４５度起立するようにする。
【０００７】
図６に示すように、カメラホルダーのグリップ部と相対する先端部に設けられた筒状嵌合部に、使用目的に応じた用具類、例えば懐中電灯、警告灯、警報器、警棒などを適宜着脱・装備することによて、当ホルダーの利用範囲はより広くかつその効果は顕著なものになる。
なお、スイッチとカメラのシャッターやファインダー、ミラーなどとの連動や、カメラ本体、レンズ部分のホルダー外への突出方法などは、既存の技術を用いれば良い。
【０００８】
【発明の実施の形態】
以下、本発明の実施の形態の一例について説明する。
金属や、対衝撃性に優れた合成樹脂などで成型した筒状のホルダー（１）の収納部（２）に、図１の如くカメラ（３）を格納する。その場合、カメラ（３）のレンズ（４）がホルダー（１）の先端部Ａ（１０）の方向に向けて露出するように設定する。その時カメラ（３）は、ホルダー（１）の使用目的を考慮して外部からの強い衝撃を守るために緩衝材（５）で保護することが望ましい。
【０００９】
カメラ（３）のレンズ（４）は、撮影の正確度を高めるために被写体を広範囲にとらえ得る広角レンズを用い、また暗処での撮影に備えてフラッシュ（６）を設けるとよい。
【００１０】
カメラホルダー（１）は、グリップ部（７）と相対する方向の先端部Ａ（１０）を、被写体に向けるだけでカメラ（３）のレンズ（４）が自動的に被写体をとらえることになるが、より正確を期すため図６に示すようにホルダー（１）の一部にファインダー若しくは素通しの枠窓（８）を装備させる。
【００１１】
ホルダー（１）のグリップ部（７）にシャッターと連動するスイッチ（９）を設け、そのスイッチ（９）を先方にスライドさせることによって図７のようにファインダー（８）が起立し、更に下方に押すとシャッターが切れるようになる。その場合１回のシャッター操作で自動的に複数枚の連写ができるようにし、その操作を更に任意回数繰り返すことによって撮影の成功率は更に高くなる。
【００１２】
ホールダー（１）の先端部Ａ（１０）には使用目的に応じて器具類、例えば懐中電灯、警報器、警備灯、警棒など着脱することが可能になるように、図６の如く嵌合部分（１１）を設ける。
本発明は、以上の構成より成り立っている。
本発明の実施に当たっては、次のごとくにおこなう。
【００１３】
一例としてビルの警備員が夜間、カメラホルダー（１）の先端部Ａ（１０）に懐中電灯を装着してビル内を巡回時に不審な人影を発見、警備員が懐中電灯をその不審者に向けて誰何すると不審者が突然逃亡を計ったとする。
【００１４】
その時警備員は懐中電灯を不審者に向けたまま、速やかにホルダー（１）のスイッチ（９）をスライドしてファインダー（８）を起立させ、スイッチ（９）を下方に押してシャッターを切りながら不審者を追跡する。この間懐中電灯は終始不審者に向けられているから、ホルダー（１）先端部Ａ（１０）の延長線上に向けられているレンズ（４）は逃走している不審者を自動的に刻々と捉え続けて撮影することができる。その結果、例え不審者を取り逃がしたとしても、警備員は不審者の発見から逃走に至るまでの状況の全てを詳細に撮影しているから、その間の不審者の記録を残すことができて事件の解決に有力な手掛が得られる。
【００１５】
【発明の効果】
通常は撮影者が激しい動きを伴わせながら緊急時の現場状況を正確に撮影することは困難であるが、本発明では追跡や揉み合いなどの動作の中にあっても、グリップを握ったまま先端部Ａを被写体に向けてスイッチを操作するだけで正確な速写や連写が可能となり、事件の記録と解決に大きな効果を発揮すことができる。
なおこの発明は目的に応じて懐中電灯、警報器、警備灯、警棒などとの組み合わせが可能であり、活用の範囲は多岐に亘ってかつ大きな効果が得られる。
【図面の簡単な説明】
【図１】この発明のホルダーの、レンズとカメラの一部が露出して格納されている状態を示す正面の断面図である。
【図２】この発明のホルダーの、カメラとレンズがともにすべてホルダー内に格納されている状態の正面の断面図である。
【図３】この発明のホルダーの、レンズを含めたカメラの１部が操作によって突出した状態を示す正面の断面図である。
【図４】この発明のホルダーの、レンズが斜め状態に突出した一例を示す正面の断面図である。
【図５】この発明のホルダーの、カメラ上部にレンズを備えてミラーに反射して撮影する場合の正面の断面図である。
【図６】この発明のホルダーの、他器具類との嵌合部分とファインダーを示す正面の断面図である。
【符号の説明】
１  ホルダー
２  収納部
３  カメラ
４  レンズ
５  緩衝材
６  フラッシュ
７  グリップ
８  ファインダー
９  スイッチ
１０  先端Ａ
１１  嵌合部
１２  ミラー
【図１】
2004177907.tif 000003
【図２】
2004177907.tif 000004
【図３】
2004177907.tif 000005
【図４】
2004177907.tif 000006
【図５】
2004177907.tif 000007
【図６】
2004177907.tif 000008